(57)【要約】【課題】一の表示装置の画面の書き込み可能領域に書き込まれた画像を他の表示装置に表示する際に、その画像の表示によって、他の表示装置に元々表示されている画像が阻害されないようにする。【解決手段】アドレス変換部１６は、メモリ制御部１３が生成する書き込みアドレスＸａｄｒ、Ｙａｄｒが第一領域１０１のアドレスのとき、フレームメモリ１１、１２の書き込みアドレスを、第二領域１０２に対応するアドレスに変換する。このとき、メモリ制御部１３は、生成した書き込みアドレスＸａｄｒ、Ｙａｄｒが、第一領域１０１に対応するアドレスのときにのみフレームメモリ１１、１２の書き込みデータを有効とする。【選択図】図１
2009251307.tif 000002
【特許請求の範囲】
【請求項１】
メイン表示装置とサブ表示装置に表示するための共通の画像データを生成する生成手段と、
少なくとも１画面分の画像データを記憶可能なメモリ領域を有し、前記生成手段により生成された画像データを記憶するメモリと、
前記メモリに対する画像データの書き込みアドレスを指示する第１の指示手段と、
前記第１の指示手段により指示された書き込みアドレスが、１画面における予め設定された第１の領域に対応するアドレスであった場合に、そのアドレスを、１画面における予め設定された第２の領域に対応するアドレスに変換するアドレス変換手段と、
前記アドレス変換手段により変換されたアドレス以外のアドレスへの画像データの書き込みを禁止する禁止手段と、
前記メモリに書き込まれている画像データの読み出しアドレスを指示する第２の指示手段と、
前記第２の指示手段による指示に基づいて前記メモリから読み出された画像データを、前記メイン表示装置に出力する第１の出力手段と、
前記生成手段により生成された画像データに基づく画像を、前記サブ表示装置に出力する第２の出力手段とを有することを特徴とする画像表示システム。
【請求項２】
前記第１の領域と、その第１の領域と同じ大きさで位置の異なる第２の領域とを、ユーザの操作に基づいて設定する設定手段を有することを特徴とする請求項１に記載の画像表示システム。
【請求項３】
前記設定手段は、前記アドレス変換手段と前記禁止手段とを動作させない表示状態であるときに、前記第１の領域と前記第２の領域とを、ユーザの操作に基づいて設定することを特徴とする請求項２に記載の画像表示システム。
【請求項４】
前記メイン表示装置は、表示画面と一体となった座標入力手段と、
前記メイン表示装置に表示されている画像の前記第２の領域に対して前記座標入力手段によって入力された座標を、前記第１の領域に対応する座標に変換する座標変換手段とを有することを特徴とする請求項１に記載の画像表示システム。
【請求項５】
前記第２の領域は複数あり、
前記座標変換手段は、前記複数の第２の領域のうち、ユーザによる最新の入力があった第２の領域に対して入力された座標を、前記第１の領域に対応する座標に変換することを特徴とする請求項４に記載の画像表示システム。
【請求項６】
前記第２の領域に対して入力された座標に基づく画像データと、その第２の領域とを互いに関連付けて記憶媒体に記憶する記憶手段を有し、
前記生成手段は、ユーザによって座標が入力された第２の領域に関連付けられた画像データがある場合には、その画像データを前記第１の領域に表示するための画像データを生成することを特徴とする請求項５に記載の画像表示システム。
【請求項７】
前記アドレス変換手段と前記禁止手段とを動作させているときに、前記第２の領域に対してのみ、ユーザによる座標の入力を受け付ける受け付け手段を有し、
前記座標変換手段は、前記受け付け手段により受け付けられた座標を、前記第１の領域に対応する座標に変換することを特徴とする請求項４〜６の何れか１項に記載の画像表示システム。
【請求項８】
メイン表示装置とサブ表示装置に表示するための共通の画像データを生成する生成ステップと、
少なくとも１画面分の画像データを記憶可能なメモリ領域を有し、前記生成ステップにより生成された画像データを記憶するメモリに対する画像データの書き込みアドレスを指示する第１の指示ステップと、
前記第１の指示ステップにより指示された書き込みアドレスが、１画面における予め設定された第１の領域に対応するアドレスであった場合に、そのアドレスを、１画面における予め設定された第２の領域に対応するアドレスに変換するアドレス変換ステップと、
前記アドレス変換ステップにより変換されたアドレス以外のアドレスへの画像データの書き込みを禁止する禁止ステップと、
前記メモリに書き込まれている画像データの読み出しアドレスを指示する第２の指示ステップと、
前記第２の指示ステップによる指示に基づいて前記メモリから読み出された画像データを、前記メイン表示装置に出力する第１の出力ステップと、
前記生成ステップにより生成された画像データに基づく画像を、前記サブ表示装置に出力する第２の出力ステップとを有することを特徴とする画像表示方法。
【請求項９】
前記第１の領域と、その第１の領域と同じ大きさで位置の異なる第２の領域とを、ユーザの操作に基づいて設定する設定ステップを有することを特徴とする請求項８に記載の画像表示方法。
【請求項１０】
前記設定ステップは、前記アドレス変換ステップと前記禁止ステップとを実行していない表示状態であるときに、前記第１の領域と前記第２の領域とを、ユーザの操作に基づいて設定することを特徴とする請求項９に記載の画像表示方法。
【請求項１１】
前記メイン表示装置は表示画面と一体となった座標入力手段から座標を入力する座標入力ステップと、
前記メイン表示装置に表示されている画像の前記第２の領域に対して前記座標入力ステップによって入力された座標を、前記第１の領域に対応する座標に変換する座標変換ステップとを有することを特徴とする請求項８に記載の画像表示方法。
【請求項１２】
前記第２の領域は複数あり、
前記座標変換ステップは、前記複数の第２の領域のうち、ユーザによる最新の入力があった第２の領域に対して入力された座標を、前記第１の領域に対応する座標に変換することを特徴とする請求項１１に記載の画像表示方法。
【請求項１３】
前記第２の領域に対して入力された座標に基づく画像データと、その第２の領域とを互いに関連付けて記憶媒体に記憶する記憶ステップを有し、
前記生成ステップは、ユーザによって座標が入力された第２の領域に関連付けられた画像データがある場合には、その画像データを前記第１の領域に表示するための画像データを生成することを特徴とする請求項１２に記載の画像表示方法。
【請求項１４】
前記アドレス変換ステップと前記禁止ステップとを実行させるときに、前記第２の領域に対してのみ、ユーザによる座標の入力を受け付ける受け付けステップを有し、
前記座標変換ステップは、前記受け付けステップにより受け付けられた座標を、前記第１の領域に対応する座標に変換することを特徴とする請求項１１〜１３の何れか１項に記載の画像表示方法。
【発明の詳細な説明】
【技術分野】
【０００１】
本発明は、画像表示システム及び画像表示方法に関し、特に、表示中の画像の少なくとも一部を一時的に固定して表示するために用いて好適なものである。
【背景技術】
【０００２】
近年、プレゼンテーションの場では、パーソナルコンピュータ（以下の説明ではＰＣと称する）のアプリケーションソフトウェアで作成されたコンテンツを大画面ディスプレイに表示して見せる機会が増加してきている。ここで、ディスプレイはＰＣから出力される画像データをそのまま表示するものである。従って、プレゼンテーション用のコンテンツが複数のファイルで用意されていた場合、ＰＣから出力された画像データをディスプレイにそのまま表示すると、ファイルの変更に関わる途中の画像がディスプレイに表示されてしまうという不都合がある。
【０００３】
このような不都合を解決する一手段として、直前に表示されていた画面を一時的に固定（フリーズ）して表示する"フリーズ"機能が用意されているディスプレイがある。つまり、メインディスプレイの表示をフリーズしている間に、手元のサブディスプレイ（ＰＣのディスプレイ）で次に表示する画面の確認を行う。そして、確認出来たところでメインディスプレイの表示のフリーズを解除して通常の表示を行うことで不要な途中の画像をメインディスプレイに表示しないようにする。
【０００４】
この場面を教育現場に置き換えてみると、先生がサブディスプレイを用いて次の画面の準備を行う間、大画面のメインディスプレイに生徒への課題を表示して回答させる、というユースケースに当てはめられる。
ここで用いられるメインディスプレイとしては、ＬＣＤやＰＤＰ等のマトリクス駆動型ディスプレイが主流となっている。マトリクス駆動型ディスプレイは、フリッカ対策を目的とした１２０Ｈｚ駆動表示や、サブフィールド法による中間階調表示といった表示デバイスに特有の駆動を行う。このため、２画面分のフレームメモリを備えている。このマトリクス駆動型ディスプレイでは、一方のフレームメモリに画像データを書き込むと同時に他方のフレームメモリから画像データを読み出す動作を交互に繰り返す、所謂ダブルバッファ動作を行う。
【０００５】
そして、このフレームメモリのダブルバッファ動作を止めて、一方のフレームメモリに格納されているデータを常に読み出すことによって、前述した"フリーズ"機能を実現する技術がある（特許文献１を参照）。
ところで、教育現場に置かれるメインディスプレイには、表示領域と一体となった座標入力手段を備えることが想定される。そして、座標入力手段を用いてメインディスプレイに表示している課題に対して生徒に回答を書き込ませるというユースケースが考えられる。しかしながら、画面を単に"フリーズ"するだけの特許文献１に記載の従来技術では、このようなユースケースに対応することができない。
【０００６】
そこで、ダブルバッファ動作を行っている２画面分のフレームメモリにおいて、一方のフレームメモリの所定領域から読み出したデータを他方のフレームメモリの対応領域に書き込み、以降その対応領域のデータを書き換えない技術がある（特許文献２を参照）。このようにすることで通常表示の画面の一部に"フリーズ"した画面を設けることができる。つまり、特許文献２に記載の従来技術を用いれば、"フリーズ"している画面中に"フリーズ"しない表示領域を設定することが可能となり、その"フリーズ"しない表示領域に回答を書き込ませることで前述したユースケースに対応することができる。
【０００７】
【特許文献１】特開平１０−２６０６６７号公報
【特許文献２】特開平１１−２９６１３０号公報
【発明の開示】
【発明が解決しようとする課題】
【０００８】
しかしながら、前述した特許文献２に記載の技術では、メインディスプレイにおける"フリーズ"しない表示領域は、サブディスプレイにおける表示位置と一対一に対応する位置である。従って、"フリーズ"しない領域の表示が、"フリーズ"した時点と現時点とで異なった画像である場合、異なった表示に書き込み画像を上書きしてメインディスプレイに表示してしまう。よって、メインディスプレイに表示される全体の画像が不整合な画像になってしまう虞があるという問題点がある。
また、サブディスプレイに、メインディスプレイに書き込まれた画像が上書き表示されてしまうため、サブディスプレイにおける画像が見づらくなってしまうという問題点がある。具体的に前述したユースケースでは、先生の確認作業が阻害されてしまうという問題点がある。
本発明は、以上の問題点に鑑みてなされたものであり、一時的に表示内容が固定されている画面の任意の領域に、表示内容が固定されない領域を設けることができるようにすることを目的とする。
【課題を解決するための手段】
【０００９】
本発明の画像表示システムは、メイン表示装置とサブ表示装置に表示するための共通の画像データを生成する生成手段と、少なくとも１画面分の画像データを記憶可能なメモリ領域を有し、前記生成手段により生成された画像データを記憶するメモリと、前記メモリに対する画像データの書き込みアドレスを指示する第１の指示手段と、前記第１の指示手段により指示された書き込みアドレスが、１画面における予め設定された第１の領域に対応するアドレスであった場合に、そのアドレスを、１画面における予め設定された第２の領域に対応するアドレスに変換するアドレス変換手段と、前記アドレス変換手段により変換されたアドレス以外のアドレスへの画像データの書き込みを禁止する禁止手段と、前記メモリに書き込まれている画像データの読み出しアドレスを指示する第２の指示手段と、前記第２の指示手段による指示に基づいて前記メモリから読み出された画像データを、前記メイン表示装置に出力する第１の表示手段と、前記生成手段により生成された画像データに基づく画像を、前記サブ表示装置に出力する第２の出力手段とを有することを特徴とする。
【００１０】
本発明の画像表示方法は、メイン表示装置とサブ表示装置に表示するための共通の画像データを生成する生成ステップと、少なくとも１画面分の画像データを記憶可能なメモリ領域を有し、前記生成ステップにより生成された画像データを記憶するメモリに対する画像データの書き込みアドレスを指示する第１の指示ステップと、前記第１の指示ステップにより指示された書き込みアドレスが、１画面における予め設定された第１の領域に対応するアドレスであった場合に、そのアドレスを、１画面における予め設定された第２の領域に対応するアドレスに変換するアドレス変換ステップと、前記アドレス変換ステップにより変換されたアドレス以外のアドレスへの画像データの書き込みを禁止する禁止ステップと、前記メモリに書き込まれている画像データの読み出しアドレスを指示する第２の指示ステップと、前記第２の指示ステップによる指示に基づいて前記メモリから読み出された画像データを、前記メイン表示装置に出力する第１の表示ステップと、前記生成ステップにより生成された画像データに基づく画像を、前記サブ表示装置に出力する第２の出力ステップとを有することを特徴とする。
【発明の効果】
【００１１】
本発明によれば、１画面における第１の領域に対応するアドレスであった場合に、そのアドレスを、１画面における第２の領域に対応するアドレスに変換すると共に、変換したアドレス以外のアドレスへの画像データの書き込みを禁止する。したがって、メイン表示装置は、サブ表示装置における第１の領域に表示されている画像と同一の画像を第２の領域に表示し、その第２の領域以外の領域については、固定された画像を表示する。このように、第１の領域と第２の領域とを画面内で任意に設定することにより、一時的に表示内容が固定されている画面の任意の領域に、表示内容が固定されない領域をメイン表示装置の表示画面に設けることができる。更に、第１の領域と第２の領域とを画面内で任意に設定することにより、サブ表示装置の第２の領域に表示される画像が、サブ表示装置に元々表示されている画像を邪魔してしまうことを可及的に防止することができる。
【発明を実施するための最良の形態】
【００１２】
（第１の実施形態）
以下、本発明の第１の実施の形態を図面に基づいて説明する。
図１は、本実施形態の画像表示システムの概略構成の一例を示す図である。
図１において、画像表示システムは、表示ユニット１０と、制御部２０と、画像描画ユニット３０と、外部操作ＩＦ４０と、外部モニタＩＦ５０と、外部モニタ６０と、外部操作部７０とを有している。
表示ユニット１０は、表示デバイス用フレームメモリ１１、１２と、メモリ制御部１３と、スイッチ部１４、１５と、アドレス変換部１６と、タイミングジェネレータ（ＴＧ）１７と、表示デバイス１８とを有している。また、画像描画ユニット３０は、画像描画部３１と、画像描画用フレームメモリ３２とを有している。尚、以下の説明では、表示デバイス用フレームメモリ１１、１２、画像描画用フレームメモリ３２を、必要に応じて、フレームメモリと略称する。
【００１３】
図１に示す構成において、フレームメモリ１１、１２は、夫々、少なくとも１画面分の画像データを記憶可能なメモリ領域（記憶容量）を持つ。垂直走査期間にスイッチ部１４を介してフレームメモリ１１に、画像描画部３１から出力された画像データが書き込まれ、スイッチ部１５を介してフレームメモリ１２に記憶された画像データが読み出される。そして、次の垂直走査期間に、スイッチ部１４を介してフレームメモリ１２に、画像描画部３１から出力された画像データが書き込まれ、スイッチ部１５を介してフレームメモリ１１に記憶された画像データが読み出される。表示ユニット１０は、このような書き込み／読み出し動作を垂直走査期間毎に交互に繰り返す、所謂ダブルバッファ動作を行って、フレームメモリ１１、１２から読み出した画像データを表示デバイス１８に表示する。本実施形態では、表示デバイス１８がメインディスプレイ（メイン表示装置）の役割を担う。
【００１４】
タイミングジェネレータ１７は、入力される垂直同期信号、水平同期信号、及びデータイネーブル信号を基に、表示デバイス１８の駆動パルスと、メモリ制御部１３で使用されるメモリ制御用同期信号とを生成する。
メモリ制御部１３は、フレームメモリ１１、１２の書き込みアドレス／読み出しアドレスを制御するためのアドレスと、制御信号とを生成する。本実施形態では、フレームメモリ１１、１２はＳＤＲＡＭ（Synchronous DRAM）を想定している。よって、メモリ制御部１３で生成される制御信号は、／ＣＳ、／ＲＡＳ、／ＣＡＳ、／ＷＥを組み合わせたコマンドである。尚、本実施形態では、フレームメモリ１１、１２は、表示デバイス１８の画面左上を始点とした垂直画素位置を行アドレス、水平画素位置を列アドレスとしたアドレス空間を構成する。従って、垂直同期信号を基準として、データイネーブル信号のカウント値を行アドレスとすることが出来る。また、水平同期信号、及びデータイネーブル信号を基準として、画素クロック信号のカウント値を列アドレスとすることが出来る。また、メモリ制御部１３は、スイッチ部１４、１５の切り換えを、垂直同期信号毎に行うことによって、前述したダブルバッファ動作を行う。
以上のように本実施形態では、例えば、メモリ制御部１３が、フレームメモリ１１、１２の書き込みアドレスを制御するためのアドレスを、フレームメモリ１１、１２に出力することにより、第１の指示手段の一例が実現される。また、例えば、メモリ制御部１３が、フレームメモリ１１、１２の読み出しアドレスを制御するためのアドレスを、フレームメモリ１１、１２に出力することにより、第２の指示手段が実現される。
【００１５】
また、メモリ制御部１３は、制御部２０からの信号等に基づいて、スイッチ部１４、１５の動作を制御するための制御信号をスイッチ部１４、１５に出力する。このように本実施形態では、例えば、メモリ制御部１３により動作が制御されるスイッチ部１５を用いることにより、第１の出力手段が実現される。
【００１６】
アドレス変換部１６は、後述する第三の表示状態において、メモリ制御部１３で生成される書き込みアドレスを所望のアドレスに変換する。
尚、本実施形態では、スイッチ部１４、１５を用いてフレームメモリ１１、１２を交互に書き込み／読み出しする場合を例に挙げて説明しているが、必ずしもこの構成に限るものではない。例えば、フレームメモリ１１、１２のチップセレクト信号を交互に制御することによっても、これと同じ機能（ダブルバッファ動作）を実現することが可能である。また、本実施形態では、フレームメモリ１１、１２が、夫々独立したメモリである場合を例に挙げて説明しているが、必ずしもこの構成に限るものではない。例えば、少なくとも２画面分の記憶容量を持った一つのフレームメモリが、内部アドレス空間として夫々独立した２画面のアドレス空間を備えるようにし、この一つのフレームメモリに対して、書き込み／読み出しを時分割で制御するようにしてもよい。
【００１７】
制御部２０は、外部操作ＩＦ４０、画像描画部３１、メモリ制御部１３、タイミングジェネレータ１７、及びアドレス変換部１６に接続されており、外部操作ＩＦ４０を介して外部操作部７０からの操作等によって各ブロックの制御を行う。また、制御部２０は、外部操作部７０の操作に基づいて、表示ユニット１０（表示デバイス１８）の表示状態を第一の表示状態〜第三の表示状態の何れかの表示状態に制御する。ここで、第一の表示状態とは、画像描画ユニット３０により生成される画像データをそのまま逐次表示（通常表示）する表示状態である。第二の表示状態とは、表示デバイス１８の全画面を"フリーズ"する表示状態である。第三の表示状態とは、画像描画ユニット３０により生成される画像データの一部を任意の位置に表示し、その位置以外を"フリーズ"する表示状態である。
ここで、外部操作部７０として、例えば、マウスやキーボード、或いは画像表示システムが備える操作パネルを用いることが出来る。
【００１８】
画像描画ユニット３０は、ＰＣと同等の機能を有するものであり、例えば、アプリケーションソフトウェアを実行して、プレゼンテーション画面を表示するための画像データを生成する。そして、画像描画ユニット３０は、生成した画像データと、同期信号とを、共通の信号線を経由して、表示ユニット１０及び外部モニタＩＦ５０へ送出する。尚、ユーザは、外部操作部７０を操作することにより、前記アプリケーションソフトウェアにおける処理の実行を、外部操作ＩＦ４０及び制御部２０を介して指示することができる。
以上のように本実施形態では、例えば、画像描画ユニット３０が画像データを生成することにより、生成手段の一例が実現される。
外部モニタＩＦ５０は、画像描画ユニット３０から送出される画像データと、同期信号とを外部へ送出し、外部モニタ６０を表示ユニット１０に対するサブモニタとして利用するためのものである。本実施形態では、外部モニタ６０がサブディスプレイ（サブ表示装置）の役割を担う。尚、以下の説明では、必要に応じて、表示デバイス１８をメインディスプレイ１８と称し、外部モニタ６０をサブディスプレイ６０と称する。
以上のように本実施形態では、例えば、外部モニタＩＦ５０が画像データを外部モニタ６０に送出することにより、第２の出力手段が実現される。
【００１９】
次に、図２〜図６を参照しながら、画像表示システムの動作の一例を説明する。
図２は、第一の表示状態におけるメインディスプレイ１８とサブディスプレイ６０の表示状態の一例を示す図であり、図２（ａ）は、メインディスプレイ１８の表示状態を、図２（ｂ）は、サブディスプレイ６０の表示状態を示している。図２において、メインディスプレイ１８とサブディスプレイ６０は、同一の画像データを表示している。また、本実施形態では、メインディスプレイ１８とサブディスプレイ６０は、水平１９２０画素、垂直１２００画素の同じ解像度を備えているものとする。ただし、サブディスプレイ６０の解像度はメインディスプレイ１８と同一である必要はない。例えば、サブディスプレイ６０に解像度変換機能が備わっていれば、サブディスプレイ６０の解像度に合わせた表示を行うことが出来る。
【００２０】
ここで、ユーザは、第三の表示状態にしたときに"フリーズ"しない領域（第二領域）１０２と、第二領域１０２に嵌め込んで表示する領域（第一領域）１０１とを、図２に示すような第一の表示状態のときに設定する。本実施形態では、前記アプリケーションソフトウェアが所定の処理を実行することにより、画像表示システムが、このような第一領域１０１及び第二領域１０２を設定する領域設定モードになるようにしている。この領域設定モードにおいて、ユーザが外部操作部７０を操作することによって、外部操作ＩＦ４０を介して制御部２０に対して、第一領域１０１及び第二領域１０２が設定される。このように本実施形態では、例えば、制御部２０が、第一領域１０１及び第二領域１０２の設定内容を示す情報を取得して記憶することにより、設定手段の一例が実現される。
【００２１】
図２では、第一領域１０１として、座標（１４４０，１０２０）と座標（１９２０，１２００）とを対角頂点とする矩形領域が設定されている。また、第二領域１０２として、座標（９００，２４０）と座標（１３８０，４２０）とを対角頂点とする矩形領域が設定されている。ここで、第一領域１０１の画像データを第二領域１０２に嵌め込んで表示することができるようにするために、第一領域１０１のサイズと第二領域１０２のサイズは等しいサイズとしている。従って、第一領域１０１と第二領域１０２の設定情報は、以下の６個のパラメータの内の３個又は４個のパラメータを組み合わせた情報となる。すなわち、第一領域１０１の対角位置にある２つの座標と、第二領域１０２の対角位置にある２つの座標と、第一及び第二領域１０１、１０２の水平画素数、及び垂直画素数との６個のパラメータの内の３個又は４個のパラメータを組み合わせた情報となる。例えば、第一領域１０１の始点座標（座標（１４４０，１０２０））及び終点座標（座標（１９２０，１２００））と、第二領域１０２の始点座標（座標（９００，２４０））とを設定情報とすることができる。また、例えば、第一領域１０１の始点座標（座標（１４４０，１０２０））と、第二領域１０２の始点座標（座標（９００，２４０））と、第一及び第二領域１０１、１０２の水平画素数、及び垂直画素数とを設定情報とすることができる。
以上のように本実施形態では、以下に説明する第三の表示状態に表示状態を移行する前に、第一領域１０１及び第二領域１０２を予め設定しておくようにする。
【００２２】
図３は、図２に示す第一の表示状態から第三の表示状態へ表示状態を移行すると共に、画像描画部３１において生成する画像データを更新した場合における、メインディスプレイ１８とサブディスプレイ６０の表示状態の一例を示す図である。具体的に図３（ａ）は、メインディスプレイ１８の表示状態を、図３（ｂ）は、サブディスプレイ６０の表示状態を示している。
メインディスプレイ１８は、第三の表示状態へ制御される前の画像データ２００と現在の画像データ３００のうち、第一の表示状態で設定された第一領域１０１の画像データを第二領域１０２に嵌め込んで表示する。すなわち、図３（ａ）に示すメインディスプレイ１８の第二領域１０２には、図３（ｂ）に示すサブディスプレイ６０の第一領域１０１に表示されている画像と同一の画像が表示される。一方、サブディスプレイ６０には、現在の画像データ３００が表示され、サブディスプレイ６０の第一領域１０１の画像は、現在の画像データ３００の一部の画像である。
【００２３】
第三の表示状態では、アドレス変換部１６は、第一の表示状態において設定された設定情報（パラメータ）を用いて、メモリ制御部１３で生成される書き込みアドレスを所望の書き込みアドレスへ変換する。すなわち、アドレス変換部１６は、第一の表示状態において設定された第一領域１０１のｘ座標、ｙ座標と、第二領域１０２のｘ座標、ｙ座標とを夫々比較して、アドレス変換係数ｆｘ、ｆｙを用意する。図２に示した例では、アドレス変換係数としてｆｘ＝−５４０、ｆｙ＝−７８０を用意する。そして、アドレス変換部１６は、以下の（１）式と（２）式とを用いて、所望の書き込みアドレスＸａｄｒ'、Ｙａｄｒ'を演算する。
Ｘａｄｒ'＝Ｘａｄｒ＋ｆｘ  ・・・（１）
Ｙａｄｒ'＝Ｙａｄｒ＋ｆｙ  ・・・（２）
ここで、Ｘａｄｒ、Ｙａｄｒは、メモリ制御部１３が生成する書き込みアドレスである。
また、同時にメモリ制御部１３は、メモリ制御部１３が生成する書き込みアドレスＸａｄｒ、Ｙａｄｒが、第一領域１０１に対応するアドレスのときにのみフレームメモリ１１、１２の書き込みデータをイネーブルとする。一方、メモリ制御部１３は、書き込みアドレスＸａｄｒ、Ｙａｄｒが、第一領域１０１に対応しないアドレスのときには、書き込みデータをディスエーブルする。
【００２４】
すなわち、メモリ制御部１３が生成する書き込みアドレスＸａｄｒ、Ｙａｄｒが第一領域１０１に対応するアドレスのとき、フレームメモリ１１、１２の書き込みアドレスは、アドレス変換部１６で第二領域１０２に対応するアドレスに変換されている。従って、フレームメモリ１１、１２において、第三の表示状態へ制御される前の画像データ２００のうち、第二領域１０２の画像データのみが、現在の画像データ３０３の第一領域１０１における画像データに更新されて格納される。一方、フレームメモリ１１、１２において、第二領域１０２以外の領域については、第三の表示状態へ制御される前の画像データ２００がそのまま格納され続ける。このようにメモリ制御部１３が、フレームメモリ１１、１２からの読み出し動作を特に変えることなく通常通り行うことで、画像描画ユニット３０が生成する画像データの一部を任意の位置に表示し、その位置以外を"フリーズ"させる第三の表示状態を実現する。
以上のように本実施形態では、例えば、アドレス変換部１６が、（１）式及び（２）式の演算を行うことにより、アドレス変換手段が実現される。また、例えば、書き込みアドレスが、第１の領域の一例である第一領域１０１に対応しないアドレスのときには、書き込みデータをディスエーブルするメモリ制御部１３の動作により、禁止手段が実現される。
【００２５】
図４は、第三の表示状態におけるメインディスプレイ１８とサブディスプレイ６０の表示状態の具体例を示す図である。具体的に図４（ａ）は、メインディスプレイ１８の表示状態を、図４（ｂ）は、サブディスプレイ６０の表示状態を示している。
図４（ｂ）に示すように、第三の表示状態で、サブディスプレイ６０の第一領域１０１に"１２"という書き込みが行われると、図４（ａ）に示すようにメインディスプレイ１８の第二領域１０２に"１２"という書き込み表示が為される。本実施形態では、この書き込みを、例えば外部操作部７０のユーザの操作に基づいて行うようにしている。
【００２６】
図５は、第三の表示状態において、サブディスプレイ６０に表示されている現在の画像データ３００に対して新規に第二領域が設定された場合における、メインディスプレイ１８とサブディスプレイ６０の表示状態の具体例を示す図である。具体的に図５（ａ）は、メインディスプレイ１８の表示状態を、図５（ｂ）は、サブディスプレイ６０の表示状態を示している。
図５に示すような新規の第二領域１０３を設定するために、第三の表示状態において、ユーザが外部操作部７０に対して所定の操作を行うと、画像表示システムは、第三の表示状態から領域設定モードに移行する。そうすると、メインディスプレイ１８は、第二の表示状態、すなわち全画面"フリーズ"となる。そして、ユーザが外部操作部７０を操作することによって、制御部２０に対して新たな第二領域１０３が設定される。図５に示す例では、座標（１４４０、４８０）と座標（１９２０，６６０）を対角頂点とする矩形領域が新たな第二領域１０３として設定される。
【００２７】
その後、第三の表示状態から第一の表示状態に表示状態が移行すると、図５（ｂ）に示されている現在の画像データ３００がメインディスプレイ１８に表示される。そして、第一の表示状態から第三の表示状態に表示状態が再び移行すると、サブディスプレイ６０の第一領域１０１に書き込まれた内容が、メインディスプレイ１８における、新たな第二領域１０３に相当する位置に表示される。
【００２８】
以上のように本実施形態では、アドレス変換部１６は、メモリ制御部１３が生成する書き込みアドレスＸａｄｒ、Ｙａｄｒが第一領域１０１のアドレスのとき、フレームメモリ１１、１２の書き込みアドレスを、第二領域１０２に対応するアドレスに変換する。このとき、メモリ制御部１３は、生成した書き込みアドレスＸａｄｒ、Ｙａｄｒが、第一領域１０１に対応するアドレスのときにのみフレームメモリ１１、１２の書き込みデータを有効とする。したがって、“フリーズ”させたメインディスプレイ１８の画面中に“フリーズ”しない表示領域（第二領域１０２）を任意に設定することが、メモリ制御部１３の動作を大きく変えることなく実現することが可能である。また、“フリーズ”しない表示領域に表示する画像の書き込み領域である“サブディスプレイ６０の第一領域１０１”も任意に設定することができる。すなわち、メインディスプレイ１８における“フリーズ”しない表示領域（第二領域１０２）の位置と、その“フリーズ”しない表示領域に表示する画像の書き込み領域である“サブディスプレイ６０の第一領域１０１”とを異ならせることができる。したがって、サブディスプレイ６０の第一領域１０１における表示によって、元々サブディスプレイ６０に表示されている画像が邪魔されてしまうことを可及的に防止でき、サブディスプレイ６０における作業領域を有効に使用することができる。
【００２９】
（第２の実施形態）
次に、本発明の第２の実施形態について説明する。前述した第１の実施形態では、外部操作部７０のユーザの操作に基づいて第一領域１０１と第二領域１０２とを設定するようにした。これに対し、本実施形態では、メインディスプレイ１８の表示画面に対するユーザの指示に基づいて第一領域１０１と第二領域１０２とを設定するようにしている。このように本実施形態と、第１の実施形態とは、第一領域１０１と第二領域１０２とを設定する方法の一部が主として異なる。したがって、本実施形態の説明において、第１の実施形態と同一の部分については、図１〜図５に付した符号と同一の符号を付すこと等により、詳細な説明を省略する。
【００３０】
図６は、画像表示システムの概略構成の一例を示す図である。図６において、本実施形態の画像表示システムは、図１に示した第１の実施形態の画像表示システムに座標入力部２５が追加された構成である。
座標入力部２５は、メインディスプレイ１８の表示画面と略一体となった座標検知面を備えている。ユーザは、ペン等を用いて座標検知面（表示画面）を直接指示する。そうすると、座標入力部２５は、指示された座標を制御部２０へ送出する。
従って、第１の実施形態で説明した第一領域１０１及び第二領域１０２の設定をメインディスプレイ１８上で直感的に設定することが可能となる。以上のように本実施形態では、例えば、座標入力部２５で入力された座標が、制御部２０で取得され記憶されることにより、設定手段の一例が実現される。
【００３１】
（第３の実施形態）
次に、本発明の第３の実施形態について説明する。前述した第１及び第２の実施形態では、サブディスプレイ６０の第一領域１０１に入力された内容を、サブディスプレイ６０の第一領域１０１に表示し、その表示した内容をメインディスプレイ１８の第二領域１０２にも表示する場合を例に挙げて説明した。これに対し、本実施形態では、メインディスプレイ１８の第二領域１０２に入力された内容を、サブディスプレイ６０の第一領域１０１に表示し、その表示した内容をメインディスプレイ１８の第二領域１０２にも表示する場合を例に挙げて説明する。このように本実施形態と、第１及び第２の実施形態とは、メインディスプレイ１８及びサブディスプレイ６０における表示の仕方の一部が主として異なる。したがって、本実施形態の説明において、第１、第２の実施形態と同一の部分については、図１〜図６に付した符号と同一の符号を付すこと等により、詳細な説明を省略する。
【００３２】
図７は、画像表示システムの概略構成の一例を示す図である。図７において、本実施形態の画像表示システムは、図６に示した第２の実施形態の画像表示システムに座標変換部２６が追加された構成である。ただし、第２の実施形態の座標入力部２５は、第一の表示状態において座標検知面（表示画面）に対して指示された座標を制御部２０へ送出するようにした。これに対し、本実施形態では、座標入力部２５は、第三の表示状態において座標検知面（表示画面）に対して指示された座標を座標変換部２６に送出する。
座標変換部２６は、第三の表示状態において座標入力部２５から送出された座標を所望の座標に変換する。
【００３３】
図８は、第三の表示状態におけるメインディスプレイ１８とサブディスプレイ６０の表示状態の具体例を示す図である。具体的に図８（ａ）は、メインディスプレイ１８の表示状態を、図８（ｂ）は、サブディスプレイ６０の表示状態を示している。
第三の表示状態において、ユーザは、メインディスプレイ１８の第二領域１０２に対してペン４００等の指示手段を用いて、例えば回答を書くための座標入力を行う。このとき、座標入力部２５は、第二領域１０２に対する入力があった場合にのみ、ペン４００の指示に基づく"表示画面上の座標"を受け付けて座標変換部２６へ送出する。
前述したように、座標入力部２５は、メインディスプレイ１８の表示画面と略一体となった座標検知面を備えているので、本実施形態では、例えば、座標変換部２６により、座標入力手段の一例が実現される。また、例えば、座標入力部２５が、第二領域１０２に対するペン４００の入力を受け付けることにより、受け付け手段の一例が実現される。
座標変換部２６は、第一の表示状態において設定された設定情報（パラメータ）を用いて、座標入力部２５から送出された座標を所望の座標へ変換する。座標を変換するための座標変換係数ｆｘｐ、ｆｙｐは、第１の実施形態で説明した"アドレス変換部１６で用いられるアドレス変換係数ｆｘ、ｆｙ"と絶対値が等しく符号が逆の値となる。図２に示した例では、座標変換係数としてｆｘｐ＝＋５４０、ｆｙｐ＝＋７８０が用意される。そして座標変換部２６は、以下の（３）式と（４）式とを用いて、所望の座標Ｘｐｏｉｎｔ'、Ｙｐｏｉｎｔ'を演算する。
Ｘｐｏｉｎｔ'＝Ｘｐｏｉｎｔ＋ｆｘｐ  ・・・（３）
Ｙｐｏｉｎｔ'＝Ｙｐｏｉｎｔ＋ｆｙｐ  ・・・（４）
ここで、Ｘｐｏｉｎｔ、Ｙｐｏｉｎｔは、座標入力部２５から送出されるｘ座標、ｙ座標である。
以上のように本実施形態では、例えば、座標変換部２６が、（３）式及び（４）式の演算を行うことにより、座標変換手段の一例が実現される。
制御部２０は、この座標Ｘｐｏｉｎｔ'、Ｙｐｏｉｎｔ'の値を元にして当該座標Ｘｐｏｉｎｔ'、Ｙｐｏｉｎｔ'に基づく描画データを生成することを画像描画部３１に指示する。そして、画像描画部３１は、この指示に基づいて、座標Ｘｐｏｉｎｔ'、Ｙｐｏｉｎｔ'に基づく描画データを生成する。ここでは表示状態が第三の表示状態である。よって、第１の実施形態のように、アドレス変換部１６は、メモリ制御部１３が生成する書き込みアドレスＸａｄｒ、Ｙａｄｒが第一領域１０１のアドレスのとき、フレームメモリ１１、１２の書き込みアドレスを、第二領域１０２に対応するアドレスに変換する。このとき、メモリ制御部１３は、生成した書き込みアドレスＸａｄｒ、Ｙａｄｒが、第一領域１０１に対応するアドレスのときにのみフレームメモリ１１、１２の書き込みデータを有効とする。したがって、サブディスプレイ６０の第一領域１０１に、ペン４００で入力された内容に基づく画像が表示され、その画像と同一の画像がメインディスプレイ１８の第二領域１０２に表示される。
【００３４】
以上のように本実施形態では、メインディスプレイ１８の第二領域１０２に入力があると、その入力された座標を第一領域１０１における座標に変換し、変換した座標に基づく描画データを作成する。そうすると、メモリ制御部１３が生成する書き込みアドレスＸａｄｒ、Ｙａｄｒは、第一領域１０１のアドレスとなるので、アドレス変換部１６は、フレームメモリ１１、１２の書き込みアドレスを、第二領域１０２に対応するアドレスに変換する。このとき、書き込みアドレスＸａｄｒ、Ｙａｄｒが、第一領域１０１に対応するアドレスのときにのみフレームメモリ１１、１２の書き込みデータは有効となる。したがって、アドレス変換部１６によって変換された“第二領域１０２に対応するアドレス”に、入力された座標に基づく画像データが書き込まれる。これにより、サブディスプレイ６０の第一領域１０１だけでなく、メインディスプレイ１８の第二領域１０２にも、入力された座標に基づく画像が表示される。したがって、第１及び第２の実施形態で説明した効果に加えて、あたかもフリーズされた画面（メインディスプレイ１８）に描画を行ったように見せられるという効果が得られる。
【００３５】
（第４の実施形態）
次に、本発明の第４の実施形態について説明する。前述した第３の実施形態では、第二領域１０２を１つだけ設定する場合を例に挙げて説明した。これに対し、本実施形態では、第二領域１０２を複数設定する場合について説明する。このように、本実施形態と、第３の実施形態とは、第二領域１０２を設定する数が主として異なる。したがって、本実施形態の説明において、第１〜第３の実施形態と同一の部分については、図１〜図８に付した符号と同一の符号を付すこと等により、詳細な説明を省略する。
【００３６】
本実施形態の画像表示システムの概略構成は、図７に示したものと同じである。
図９は、第三の表示状態におけるメインディスプレイ１８とサブディスプレイ６０の表示状態の具体例を示す図である。具体的に図９（ａ）は、メインディスプレイ１８の表示状態を、図９（ｂ）は、サブディスプレイ６０の表示状態を示している。図９（ａ）では、第三の表示状態において、３つの第二領域１０２ａ、１０２ｂ、１０２ｃが設定されている場合を例に挙げて示している。
【００３７】
複数の第二領域１０２ａ、１０２ｂ、１０２ｃの夫々における、表示と、座標入力に関わるアドレスの変換と、座標変換は、第３の実施形態で説明した通りである。ここで、最初に第二領域１０２ａに座標入力が行われて描画した後、別の第二領域１０２ｂにペン４００による座標入力が行われたとする。それまでは、第一領域１０１の画像データを第二領域１０２ａに表示し、第二領域１０２ａ内の入力座標を第一領域１０１の座標へ変換するように動作していた。ところが、別の第二領域１０２ｂに座標入力が行われた時点で、第一領域１０１に表示されている画像データを、最新の入力が行われた第二領域１０２ｂに表示し、第二領域１０２ｂ内の入力座標を第一領域１０１の座標へ変換するように動作する。
【００３８】
第一領域１０１の画像データを表示する第二領域１０２が第二領域１０２ａから第二領域１０２ｂに変更されると、第一領域１０１に描画された画像データは削除され第二領域１０２ｂへは何も表示されない。ここで、第二領域１０２が第二領域１０２ａから第二領域１０２ｂに変更されると、第二領域１０２ａに表示されていた画像データは、制御部２０の指示により、第二領域１０２ａに関連付けられて別途記憶媒体に記憶された後に削除される。こうすることで、例えば、第二領域１０２ｂから再度第二領域１０２ａに座標入力が移った場合、第二領域１０２ａに関連付けて記憶されていた画像データを呼び出して、サブディスプレイ６０の第一領域１０１に表示することで再編集を行うことができる。
以上のように本実施形態では、例えば、第二領域１０２ａに表示されていた画像データが、制御部２０の指示により、第二領域１０２ａに関連付けられて記憶媒体に記憶されることによって記憶手段の一例が実現される。
【００３９】
次に、図１０のフローチャートを参照しながら、複数の第二領域１０２を設定した場合の画像表示システムの動作の一部の一例を説明する。尚、この図１０のフローチャートの動作の前に、第一領域１０１と、第二領域１０２ａ〜１０２ｃが設定されており、第二領域１０２ａに対して既に入力操作が行われているものとする。
まず、ステップＳ１０１において、制御部２０は、外部操作部７０の操作等に基づいて、表示状態を第三の表示状態に移行させる。
次に、ステップＳ１０２において、制御部２０は、外部操作部７０の操作等に基づいて、第三の表示状態を終了するか否かを判定する。この判定の結果、第三の表示状態を終了する場合には、図１０のフローチャートによる処理を終了する。そして、表示状態を第一の表示状態（通常表示）に戻すようにする。
一方、第三の表示状態を終了しない場合には、ステップＳ１０３に進む。ステップＳ１０３に進むと、制御部２０は、座標変換部２６から送出される情報に基づいて、第二領域１０２ａとは別の第二領域（例えば第二領域１０２ｂ）への座標入力があったか否かを判定する。この判定の結果、第二領域１０２ａとは別の第二領域への座標入力がない場合には、ステップＳ１０２に戻る。
【００４０】
一方、第二領域１０２ａとは別の第二領域への座標入力があった場合には、ステップＳ１０４に進む。ステップＳ１０４に進むと、制御部２０は、第二領域１０２ａにおける描画データを、第二領域１０２ａに関連付けて記憶媒体に記憶させることを画像描画部３１に指示する。
次に、ステップＳ１０５において、制御部２０は、第一領域１０１における描画データを削除させることを画像描画部３１に指示する。また、制御部２０は、メモリ制御部１３に対して、第二領域１０２ａとは別の第二領域への座標入力に基づくデータの書き込み（記憶）の指示を行う。
【００４１】
次に、ステップＳ１０６において、制御部２０は、第二領域１０２ａとは別の第二領域（例えば第二領域１０２ｂ）に関連付けられて記憶されている描画データがあるか否かを判定する。この判定の結果、第二領域１０２ａとは別の第二領域に関連付けられて記憶されている描画データがない場合には、ステップＳ１０２に戻る。この場合、サブディスプレイ６０の第一領域１０１は、例えばブランク表示となる。
一方、第二領域１０２ａとは別の第二領域に関連付けられて記憶されている描画データがある場合には、ステップＳ１０７に進む。ステップＳ１０７に進むと、制御部２０は、その記憶されている描画データを、サブディスプレイ６０の第一領域１０１に埋め込むような画像データの生成を画像描画部３１に指示する。そして、ステップＳ１０２へ戻る。
【００４２】
以上のように第二領域１０２を複数設定した場合であっても、第３の本実施形態で説明したのと同じ効果を得ることができる。
尚、図２〜図５、図８、図９において、破線の矩形は、便宜上記載しているものであって、実際には有っても無くても良い。
【００４３】
（本発明の他の実施形態）
前述した本発明の実施形態における画像表示システムを構成する各手段、並びに画像表示方法の各ステップは、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４４】
また、本発明は、例えば、システム、装置、方法、プログラム若しくは記憶媒体等としての実施形態も可能であり、具体的には、複数の機器から構成されるシステムに適用してもよいし、また、一つの機器からなる装置に適用してもよい。
【００４５】
尚、本発明は、前述した実施形態の機能を実現するソフトウェアのプログラム（実施形態では図１０に示すフローチャートに対応したプログラム）を、システムあるいは装置に直接、あるいは遠隔から供給するものを含む。そして、そのシステムあるいは装置のコンピュータが前記供給されたプログラムコードを読み出して実行することによっても達成される場合も本発明に含まれる。
【００４６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４７】
その場合、プログラムの機能を有していれば、オブジェクトコード、インタプリタにより実行されるプログラム、ＯＳに供給するスクリプトデータ等の形態であってもよい。
【００４８】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【００４９】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【００５０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【００５２】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【００５３】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【００５４】
尚、前述した各実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【００５５】
【図１】本発明の第１の実施形態を示し、画像表示システムの概略構成の一例を示す図である。
【図２】本発明の第１の実施形態を示し、第一の表示状態におけるメインディスプレイとサブディスプレイの表示状態の一例を示す図である。
【図３】本発明の第１の実施形態を示し、第一の表示状態から第三の表示状態へ表示状態を移行すると共に、画像描画部において生成する画像データを更新した場合における、メインディスプレイとサブディスプレイの表示状態の一例を示す図である。
【図４】本発明の第１の実施形態を示し、第三の表示状態におけるメインディスプレイとサブディスプレイの表示状態の具体例を示す図である。
【図５】本発明の第１の実施形態を示し、第三の表示状態において、サブディスプレイに表示されている現在の画像データに対して新規に第二領域が設定された場合における、メインディスプレイとサブディスプレイの表示状態の具体例を示す図である。
【図６】本発明の第２の実施形態を示し、画像表示システムの概略構成の一例を示す図である。
【図７】本発明の第３の実施形態を示し、画像表示システムの概略構成の一例を示す図である。
【図８】本発明の第３の実施形態を示し、第三の表示状態におけるメインディスプレイとサブディスプレイの表示状態の具体例を示す図である。
【図９】本発明の第４の実施形態を示し、第三の表示状態におけるメインディスプレイとサブディスプレイの表示状態の具体例を示す図である。
【図１０】本発明の第４の実施形態を示し、複数の第二領域１０２を設定した場合の画像表示システムの動作の一部の一例を説明するフローチャートである。
【符号の説明】
【００５６】
１０  表示ユニット
１１、１２  表示デバイス用フレームメモリ
１３  メモリ制御部
１４、１５  スイッチ部
１６  アドレス変換部
１７  タイミングジェネレータ
１８  表示デバイス
２０  制御部
３０  画像描画ユニット
３１  画像描画部
３２  画像描画用フレームメモリ
４０  外部操作ＩＦ
５０  外部モニタＩＦ
６０  外部モニタ
７０  外部操作部
【図１】
2009251307.tif 000003
【図２】
2009251307.tif 000004
【図３】
2009251307.tif 000005
【図４】
2009251307.tif 000006
【図５】
2009251307.tif 000007
【図６】
2009251307.tif 000008
【図７】
2009251307.tif 000009
【図８】
2009251307.tif 000010
【図９】
2009251307.tif 000011
【図１０】
2009251307.tif 000012